(57)【要約】 【課題】本発明は駆動效率を高めることができるプラズマディスプレイ装置及びその駆動方法を提供する。【解決手段】本発明による、プラズマディスプレイ装置は外部で入力される映像信号をディスプレイするためのデータで変換させて、前記データを同期化させるクロック信号を生成するコントロール部；前記データ及びクロック信号を利用してデータパルスを生成するデータ駆動部；及び前記コントロ−ル部から制御された前記データ及びクロック信号をフローティングさせて前記データ駆動部に送る転送部を含むことを特徴とする。【選択図】図５
2005301282.tif 000002
【特許請求の範囲】
【請求項１】
外部から入力される映像信号をディスプレイするためのデータに変換させて、前記データを同期化させるクロック信号を生成するコントロール部と、
前記データ及びクロック信号を利用してデータパルスを生成するデータ駆動部と、
前記コントロ−ル部から、制御された前記データ及びクロック信号をフローティングさせて前記データ駆動部に送る転送部と、
を含むことを特徴とするプラズマディスプレイ装置。
【請求項２】
前記転送部は、光ファイバまたはフォトカフラの中で少なくとも何れ一つを使うことを特徴とする、請求項１記載のプラズマディスプレイ装置。
【請求項３】
前記転送部は、差動信号方式で前記データ及びクロック信号を送ることを特徴とする、請求項１または請求項２記載のプラズマディスプレイ装置 。
【請求項４】
前記転送部は、前記コントロール部の一つの転送ラインに複数個のデータ駆動部ラインを配置して、前記データ及びクロック信号を送ることを特徴とする、 請求項１記載のプラズマディスプレイ装置。 
【請求項５】
前記転送部から転送された前記データ及びクロック信号を一時的に貯蔵して、
前記データ及びクロック信号を前記データ駆動部に送る貯蔵部をさらに含むことを特徴とする、請求項１記載のプラズマディスプレイ装置。 
【請求項６】
前記転送部は全体フレーム期間の中で任意の期間に前記データ及びクロック信号を前記貯蔵部に送ることを特徴とする、請求項５記載のプラズマディスプレイ装置。
【請求項７】
前記任意の期間はリセット期間またはサステイン期間の中で何れ一つの期間であることを特徴とする、請求項６記載のプラズマディスプレイ装置。
【請求項８】
前記データ駆動部の基底端には、正極性または負極性電圧の中で何れ一つの電圧が印加されることを特徴とする、請求項１記載のプラズマディスプレイ装置。
【請求項９】
前記基底端に正劇性の第１電圧を印加して、アドレッシン放電のための電圧Ｖａを生成するＶａ供給端に前記電圧Ｖａと前記第１電圧の差の第２電圧を印加してデータパルスを生成することを特徴とする、請求項８記載のプラズマディスプレイ装置。
【請求項１０】
リセット期間の間、前記基底端に負極性電圧が印加されることを特徴とする、請求項８記載のプラズマディスプレイ装置。
【請求項１１】
外部から入力される映像信号をディスプレイするためのデータに変換させて、前記データを同期化させるクロック信号を生成するコントロール部と、
前記データ及びクロック信号を利用してデータパルスを生成するデータ駆動部と、
前記データ及びクロック信号を第１基底電圧から第２基底電圧に変換して前記データ駆動部で送る転送部と、
を含むことを特徴とするプラズマディスプレイ装置。
【請求項１２】
外部から入力される映像信号をディスプレーするためのデータに変換させて、前記データを同期化させるクロック信号を生成するコントロール段階と、
前記コントロ−ル段階で制御された前記データ及びクロック信号をフローティングさせて送る転送段階と、
前記転送されたデータ及びクロック信号を利用してデータパルスを生成するデータ駆動段階と、
を含むことを特徴とするプラズマディスプレイ装置の駆動方法。
【請求項１３】
前記転送段階は、光ファイバまたはフォトカフラの中で少なくともいずれ一つを使うことを特徴とする、請求項１２記載のプラズマディスプレイ装置の駆動方法。
【請求項１４】
前記転送段階は、差動信号方式で前記データ及びクロック信号を送ることを特徴とする、請求項１２または請求項１３記載のプラズマディスプレイ装置の駆動方法。
【請求項１５】
前記転送段階は一つのコントロールラインに複数個のデータ駆動ラインを配定して前記データ及びクロック信号を送ることを特徴とする、 請求項１２記載のプラズマディスプレイ装置の駆動方法。 
【請求項１６】
前記転送段階で転送された前記データ及びクロック信号を一時的に貯蔵して、前記データ及びクロック信号を前記データ駆動段階で送る貯蔵段階をさらに含むことを特徴とする、請求項１２記載のプラズマディスプレイ装置の駆動方法。 
【請求項１７】
前記転送段階は、全体フレーム期間の中で任意の期間に前記データ及びクロック信号を前記貯蔵段階に送ることを特徴とする、請求項１６記載のプラズマディスプレイ装置の駆動方法。 
【請求項１８】
前記任意の期間は、リセット期間またはサステイン期間の中で何れか一つの期間であることを特徴とする、請求項１７記載のプラズマディスプレイ装置の駆動方法。 
【請求項１９】
前記データ駆動段階から基底端には正極性または負極性電圧の中で何れ一つの電圧が印加されることを特徴とする、請求項１２記載のプラズマディスプレイ装置の駆動方法。 
【請求項２０】
前記基底端に正劇性の第１電圧を印加して、アドレッシン放電のための電圧Ｖａを生成するＶａ供給端に前記電圧Ｖａと前記第１電圧の差の第２電圧を印加してデータパルスを生成することを特徴とする、請求項１９記載のプラズマディスプレイ装置の駆動方法。
【請求項２１】
リセット期間の間、前記基底端に負極性電圧が印加されることを特徴とする、請求項１９記載のプラズマディスプレイ装置の駆動方法。
【請求項２２】
外部から入力される映像信号をディスプレイするためのデータに変換させて、前記データを同期化させるクロック信号を生成する段階と、
前記データ及びクロック信号を第１基底電圧から第２基底電圧に変換して送る転送段階と、
前記第２基底電圧に変換されたデータ及びクロック信号を利用してデータパルスを生成するデータ駆動段階と、
を含むことを特徴とする、プラズマディスプレイ装置の駆動方法。
【発明の詳細な説明】
【技術分野】
【０００１】
本発明は、プラズマディスプレイパネルの駆動装置に関し、より詳しくは駆動效率を高めることができるプラズマディスプレイ装置及びその駆動方法に関する。
【背景技術】
【０００２】
一般的に、プラズマディスプレイ装置(Plasma Display Apparatus)は前面基板と後面基板の間に形成された隔壁が一つの単位セルを成すことで、各セル内にはネオン(Ne)、ヘリウム(He)またはネオン及びヘリウムの混合気体(Ne+He)のような主放電気体と少量のキセノンを含む不活性ガスが充填されてある。高周波電圧によって放電される時、不活性ガスは真空紫外線(Ｖａcuum Ultraviolet rays)を発生して隔壁の間に形成された蛍光体を発光させて画像が具現される。 このようなプラズマディスプレイパネルは薄くて軽い構成が可能なので次世代表示装置として脚光を浴びている。
【０００３】
図１は従来のプラズマディスプレイ装置を説明するための図である。 
【０００４】
図１に示すように、プラズマディスプレイ装置は、映像信号をディスプレイするためのデータに変換させるとともに、データを同期化させるクロック信号を生成するコントロール部１１０と、コントロール部１１０からデータ及びクロック信号の転送を受けてデータパルスを生成するデータ駆動部１２０とを備える。
【０００５】
コントロール部１１０は、信号処理したデータ及びクロック信号をラインドライバー(line driver；１１１)を通じて増幅した後、５Ｖ(ＴＴＬ  Ｌｅｖｅｌ)で送る。
【０００６】
この時、データの転送速度はクロック速度の２倍で送るのでデータバス(data bus)は９６ビットの半分である４８ビットが必要となる。
【０００７】
データ駆動部１２０では、クロック信号によってDフリップフロップ(Flip-Flop；１２１)別にデータをクルロックキングして所望のデータを検出する。また、検出されたデータから生成されたデータパルスをアドレス電極に書き込んでディスプレイする。ここで、従来のプラズマディスプレイ装置をさらに詳細によく見れば次の図２のようになる。
【０００８】
図２は、従来のプラズマディスプレイ装置のデータ転送方法を説明するための図である。
【０００９】
図２に示すように、従来には並列転送方法でデータを送る。例えば、 ＷＶＧＡ  (８５２×４８０)の解像度のプラズマディスプレイ装置の場合、一般的にデータ駆動部１２０は、９６ピンアウト(pin out) / ６ビットイン(bit in)信号処理をする。したがって、コントロール部１１０及びデータ駆動部１２０の間の転送部１３０は１６０(８５２×３(R、G、B)÷９６ピン×６ビット≒１６０)ラインの転送ラインが必要である。
【００１０】
このように、従来のプラズマディスプレイ装置は生産費用が大きい。すなわち、コントロール部１１０では、多くのデータ量に適当なラインドライバー１１１が必要である。データ駆動部１２０では、ノイズをとり除くためにDフリップフロップ１２１が必要である。また、前記コントローラー１１０及びデータ駆動部１２０の間のインタフェースにおいてデータ量が多くなるほど転送ライン１３０の数が多くなければならない。
【００１１】
図３ａは、従来のプラズマディスプレイ装置のデータ駆動部を概略的に示す図で、図３ｂは、従来のプラズマディスプレイ装置の駆動パルスを示す波形図である。
【００１２】
図３ａ及び図３ｂに示すように、従来には毎アドレッシン期間毎にあたるデータ及びクロック信号がコントロール部１１０からデータ駆動部１２０に転送される。データ駆動部１２０は、データ及びクロック信号をシフトレジスター(Shift Register；１２２)を利用して９６ピンアウトを合わせた後、ラッチ(Latch；１２３)を通じて出力する。
【００１３】
このような、従来のデータ駆動部１２０は、アドレッシン期間に高電圧放電が発生する間小信号を転送するからノイズに脆弱な問題がある。また、高解像度である程アドレッシン期間が短くて時間的な制約がある。
【００１４】
図４は従来のデータ駆動部で生成されるデータパルスを説明するための図である。 
【００１５】
図４に示すように、コントロール部１１０に入力されたデータ及びクロック信号は、データ駆動部１２０を通じて電圧Ｖａのデータパルスに生成される。データ駆動部１２０は、基底電圧０Vを印加するスィッチ(Ｑ１)及び電圧Ｖａを印加するスィッチ(Ｑ２)を備えている。この時、スィッチ(Ｑ１、 Ｑ２)の耐圧条件は電圧Ｖａ以上ではなければならないので、高価のスィッチを使って生産費用が増大する。
【００１６】
また、最近になってプラズマディスプレイ装置の大きさが大型化される事によってコントロール部及びデータ駆動部のデータ転送距離も長くなるようになった。これによって、データの損失が発生して、転送距離によってデータとクロック信号の引き延ばしの差が発生してこれを合わせなければならない煩わしさがある。 
【００１７】
また、データ及びクロック信号を５Ｖ(ＴＴＬ  Ｌｅｖｅｌ)で高速で送るので電磁波障害(Ｅｌｅｃｔｒｏ  Ｍａｇｎｅｔｉｃ  Ｉｎｔｅｒｆｅｒｅｎｃｅ)が発生する問題がある。
【発明の開示】
【発明が解決しようとする課題】
【００１８】
本発明は前記のような問題点を解決するためのことで、その目的はプラズマディスプレイ装置を改善してデータ駆動部の耐圧を低めて、駆動マージンを増大させることができるプラズマディスプレイ装置及びその駆動方法を提供することである。
【００１９】
また、本発明の他の目的はプラズマディスプレイ装置を改善してデータ転送の時データ損失及びノイズ発生を抑制することができるプラズマディスプレイ装置及びその駆動方法を提供するのである。
【００２０】
また、本発明のまた他の目的はプラズマディスプレイ装置を改善して生産単価を節減することができるプラズマディスプレイ装置及びその駆動方法を提供するのである。
【課題を解決するための手段】
【００２１】
本発明の実施形態によるプラズマディスプレイ装置は外部で入力される映像信号をディスプレイするためのデータで変換させて、前記データを同期化させるクロック信号を生成するコントロール部；前記データ及びクロック信号を利用してデータパルスを生成するデータ駆動部；及び前記コントロ−ルブから制御された前記データ及びクロック信号をフローティングさせて前記データ駆動部で送る転送部を含むことを特徴とする。 
【００２２】
本発明の実施形態によるプラズマディスプレイ装置の駆動方法は外部で入力される映像信号をディスプレイするためのデータで変換させて、前記データを同期化させるクロック信号を生成するコントロール段階と、前記コントロ−ル段階から制御された前記データ及びクロック信号をフローティングさせて送る転送段階と、前記転送されたデータ及びクロック信号を利用してデータパルスを生成するデータ駆動段階とを含むことを特徴とする。
【発明の効果】
【００２３】
本発明はプラズマディスプレイ装置及びその駆動方法を改善することで、データ駆動部の耐圧を低めることができるし、駆動マージンを増大させることができる效果がある。 
【００２４】
また、本発明はプラズマディスプレイ装置及びその駆動方法を改善することで、データ転送の時データ損失及びノイズ発生を抑制することができる效果がある。 
【００２５】
また、本発明はプラズマディスプレイ装置の生産単価を節減することができる。
【００２６】
本発明の転送部は光繊維またはフォトカフラの中で少なくとも何れ一つを使うことを特徴とする。
【００２７】
本発明の転送部は差等信号方式で前記データ及びクロック信号を送ることを特徴とする。
【００２８】
本発明の転送部は前記コントロール部の一つの転送ラインに複数個のデータ駆動部ラインを配定して前記データ及びクロック信号を送ることを特徴とする。
【００２９】
本発明の転送部から転送された前記データ及びクロック信号を一時的に貯蔵して、前記データ及びクロック信号を前記データ駆動部で送る貯蔵部をさらに含むことを特徴とする。
【００３０】
本発明の転送部は全体フレーム期間の中で任意の期間に前記データ及びクロック信号を前記貯蔵部で送ることを特徴とする。
【００３１】
本発明の任意の期間はリセット期間またはサステイン期間の中で何れ一つの期間であることを特徴とする。
【００３２】
本発明のデータ駆動部の基底端には正劇性または負極性電圧の中で何れ一つの電圧が印加されることを特徴とする。
【００３３】
本発明の基底端に正劇性の第１電圧を印加して、アドレッシン放電のための電圧Ｖａを生成するＶａ供給端に前記電圧Ｖａと前記第１電圧の差の第２電圧を印加してデータパルスを生成することを特徴とする。
【００３４】
本発明のリセット期間の間前記基底端に負極性電圧が印加されることを特徴とする。
【００３５】
本発明のプラズマディスプレイ装置は外部で入力される映像信号をディスプレイするためのデータで変換させて、前記データを同期化させるクロック信号を生成するコントロール部と、前記データ及びクロック信号を利用してデータパルスを生成するデータ駆動部と、前記コントロ−ル部で生成された第１基底(base)電圧を持つ前記データ及びクロック信号を前記第１基底電圧と電圧レベルが他の第２基底電圧で変換して前記データ駆動部に送る転送部を含むことを特徴とする。
【００３６】
本発明のプラズマディスプレイ装置の駆動方法は外部で入力される映像信号をディスプレイするためのデータで変換させて、前記データを同期化させるクロック信号を生成するコントロール段階と、前記コントロ−ル段階から制御された前記データ及びクロック信号をフローティングさせて送る転送段階と、前記転送されたデータ及びクロック信号を利用してデータパルスを生成するデータ駆動段階を含むことを特徴とする。
【００３７】
本発明の転送段階は光繊維またはフォトカフラの中で少なくと何れ一つを使うことを特徴とする。
【００３８】
本発明の転送段階は差等信号方式で前記データ及びクロック信号を送ることを特徴とする。
【００３９】
本発明の転送段階は一つのコントロールラインに複数個のデータ駆動ラインを配定して前記データ及びクロック信号を送ることを特徴とする。
【００４０】
本発明の転送段階から転送された前記データ及びクロック信号を一時的に貯蔵して、前記データ及びクロック信号を前記データ駆動段階で送る貯蔵段階をさらに含むことを特徴とする。
【００４１】
本発明の転送段階は全体フレーム期間の中で任意の期間に前記データ及びクロック信号を前記貯蔵段階で送ることを特徴とする。
【００４２】
本発明の任意の期間はリセット期間またはサステイン期間の中で何れ一つの期間であることを特徴とする。
【００４３】
本発明のデータ駆動段階で基底端には正劇性または負極性電圧の中で何れ一つの電圧が印加されることを特徴とする。
【００４４】
本発明の基底端に正劇性の第１電圧を印加して、アドレッシン放電のための電圧Ｖａを生成するＶａ供給端に前記電圧Ｖａと前記第１電圧の差の第２電圧を印加してデータパルスを生成することを特徴とする。
【００４５】
本発明のリセット期間の間前記基底端に負極性電圧が印加されることを特徴とする。
【００４６】
本発明のプラズマディスプレイ装置の駆動方法は外部で入力される映像信号をディスプレイするためのデータで変換させて、前記データを同期化させるクロック信号を生成するコントロール段階と、前記コントロ−ル段階で生成された第１基底(base)電圧を持つ前記データ及びクロック信号を前記第１基底電圧と電圧レベルが他の第２基底電圧で変換して送る転送段階と、前記第２基底電圧に変換されたデータ及びクロック信号を利用してデータパルスを生成するデータ駆動段階を含むことを特徴とする。
【００４７】
本発明の特徴によれば、転送部はデータ及びクロック信号をフローティング(floating)させて送る。すなわち、データ及びクロック信号のグラウンドレベル(ground level)を変えることができる。この時、フローティングするために転送部は光繊維またはフォトカフラの中で何れ一つを使うことができる。また、データ及びクロック信号の転送は差等信号方式で送ることができる。
【００４８】
光繊維またはフォトカフラなどの部品の使用を減らすためにコントロール部の一つの転送ラインに複数個のデータ駆動部ラインを配定する。また、時間不足を解決するためにプラズマディスプレイ装置は貯蔵部を備えることで、データ及びクロック信号を一時的に貯蔵してから全体フレーム期間の中で任意の期間に送ることができる。また、データ駆動部はグラウンドレベルが変わるによってデータ駆動部の駆動電圧を低めることができるし、駆動マージンを進めることができる。
【発明を実施するための最良の形態】
【００４９】
以下では本発明による具体的な実施形態を添付された図面を参照して説明する。
【００５０】
図５は、本発明の一実施形態によるプラズマディスプレイ装置を説明するための図である。 
【００５１】
図５に示すように、本発明のプラズマディスプレイ装置は、コントロール部５１０と、データ駆動部５２０と、転送部５３とを含む。
【００５２】
コントロール部５１０は、外部から入力される映像信号をディスプレイするためのデータで変換させて、データを同期化させるクロック信号を生成する。
【００５３】
データ駆動部５２０は、コントロール部５１０から入力されたデータ及びクロック信号を処理してデータパルスを生成する。
【００５４】
転送部５３０は、コントロル部５１０で制御されたデータ及びクロック信号をデータ駆動部５２０に転送させる。本発明の一実施形態による転送部５３０は、データ及びクロック信号をフローティングすることで、転送されるデータのグラウンドレベルを変えるようにする。
【００５５】
すなわち、本発明の一実施形態によるコントロール部５１０は、第１基底電圧を持つデータ及びクロック信号を生成して、転送部５３０は、第１基底電圧を持つデータ及びクロック信号を、第１基底電圧と電圧レベルが異なる第２基底電圧に変換してデータ駆動部５２０に送る。これによって、データ駆動部５２０は、コントロール部５１０と互いに違う第２基底電圧を持つデータ及びクロック信号を利用してデータパルスを生成する。
【００５６】
本発明の一実施形態では、データ及びクロック信号をフローティングさせるために光 ファイバ(Optical Fiber；５３１)またはフォトカフラ(Photo Coupler；５３２)のうち何れか一つを、転送部５３０に使用することができる。光ファイバまたはフォトカフラは、電気信号を光の信号に変えることができる手段である。 よって、データ及びクロック信号は光の信号形態で変形されてグラウンドレベルの概念が必要ではないフローティング状態に転送される。また、本発明の一実施形態では、差動信号方式(未図示)を使ってデータ及びクロック信号を相対的な電圧値でフローティング状態で転送させる。
【００５７】
このように、光ファイバ、フォトカフラまたは差動信号方式の中の何れか一つを使って、データ及びクロック信号をフローティングさせることができる。また、お互いに組み合わせて使うこともできる。
【００５８】
ここで、本発明の一実施形態によるプラズマディスプレイ装置をさらに詳細によく見れば次の図６乃至図９のようである。
【００５９】
図６は、本発明の一実施形態によるプラズマディスプレイ装置のデータ転送方法を示す図である。 
【００６０】
図６に示すように、本発明の一実施形態ではデータ及びクロック信号を直列で送る。従来のデータ転送方法は、図３で説明したように、 ＷＶＧＡ解像度プラズマディスプレイ装置の場合、１６０個のラインを要する。
本発明の一実施形態ではデータ転送ライン数を減らすために、コントロール部５１０とデータ駆動部５２０の間のデータ転送を直列転送で送るようにする。直列転送とは、コントロール部５１０の一つの転送ラインに、少なくともふたつ以上のデータ駆動部５２０のラインを配置して送ることを意味する。直列転送を通じて転送ラインの個数を減らすことで、フローティングするための光ファイバ、フォトカフラを最小で構成することができる。
【００６１】
一方、上述した図３ａ及び図３ｂのような従来のデータ駆動部１２０は、アドレッシング期間の間、データ及びクロック信号を送るので多くの問題点があった。
【００６２】
また、本発明の直列転送は、従来の並列転送より時間当り送ることができるデータ量が少ないため、時間的制約を乗り越えることができる方法が必要である。よって、本発明の一実施形態では、次の図７のように貯蔵部をさらに包含させて全体フレーム期間の中で任意の期間にデータを送るようにする。
【００６３】
図７a及び７bは、本発明の一実施形態によるプラズマディスプレイ装置のデータ駆動部を概略的に示す図である。 
【００６４】
図７a及び７bに示すように、本発明のプラズマディスプレイ装置は転送部５３０から入力されたデータ及びクロック信号を一時的に貯蔵して、データ駆動部５２０にデータ及びクロック信号を送る貯蔵部(７１０、７２０)をさらに含む。
【００６５】
すなわち、図７aのようににデータ駆動部５２０内部に貯蔵部７１０を包含させることもでき、図７bに示すように、データ駆動部５２０外部に貯蔵部７２０を構成することもできる。この時、貯蔵部(７１０、７２０)に一時的に貯蔵されたデータ及びクロック信号は必要な任意の時間にデータ駆動部５２０に転送される。
【００６６】
図８は、本発明の一実施形態によるプラズマディスプレイ装置の駆動パルスを示した波形図である。
【００６７】
図８は、リセット期間、アドレッシング期間、サステイン期間にデータ転送が可能なことを示している。即ち、図８に示すように、本発明の一実施形態では貯蔵部(７１０、７２０)をさらに包含させることで、全体フレーム期間の中で任意の期間にデータ及びクロック信号をデータ駆動部に送ることができる。すなわち、アドレッシン期間外にリセット期間またはサステイン期間の中でいずれ一つの期間にデータを送って時間的制約を乗り越えることができ、また、安定した動作を行うことができる。
【００６８】
また、本発明の一実施形態ではフローティングされたデータ及びクロック信号がデータ駆動部に転送される事によって、データ駆動部の基底端には任意の電圧レベルを基底電圧にして印加されることができる。すなわち、必要によって正極性または負極性電圧の中で何れか一つの電圧がデータ駆動部の基底端に印加される。ここに関するより詳細な説明は、次の図９及び図１０を通じて記述する事にする。 
【００６９】
図９は、本発明の一実施形態によるプラズマディスプレイ装置で生成されるデータパルスを説明するための図である。
【００７０】
図９に示すように、コントロール部５１０で制御されたデータ及びクロック信号によってアドレス期間の間データ駆動部５２０は、電圧Ｖａのデータパルスを生成する。この時、上述した図４のような従来のデータ駆動部１２０と違い、アドレス期間の間基底端のスィッチ(Ｑ３)に正極性の第１電圧を印加して、アドレッシン放電のための電圧Ｖａを生成するＶａ供給端のスィッチ(Ｑ４)に電圧Ｖａと前記第１電圧の差の第２電圧を印加する。これで、スィッチ(Ｑ３、Ｑ４)は、耐圧条件を第２電圧まで低めて耐圧特性を進める
ことができる。
【００７１】
図１０は、本発明の一実施形態の変形された形態による駆動パルスの波形図である。 
【００７２】
図１０に示すように、本発明の一実施形態の変形された形態によれば、コントロール部５１０で制御されたデータ及びクロック信号によってアドレス電極に負極性電圧を印加することができる。例えば、リセット期間の間アドレス電極とスキャン電極との間の強い放電が必要な場合、コントロール部５１０から制御された信号によって、リセット期間の間基底端に負極性電圧Ｖａを印加する。よって、駆動パルスの設計が容易くなって、駆動マージンを増大させることができる。
【００７３】
図１１は、本発明の一実施形態によるプラズマディスプレイ装置を概略的に示す図である。 
【００７４】
図１１に示すように、前記のすべての実施形態による駆動装置は、差動信号方式を使ってデータ及びクロック信号をフローティングさせるとか、光ファイバまたはフォトカプラなどの転送部５３０でデータ及びクロック信号をフローティングさせて送ることで、グラウンドレベルを変えることができる。この時、転送部５３０の転送ライン個数を減らすために、コントロール部５１０の一つの転送ラインに複数個のデータ駆動部５２０のラインを配置してデータ及びクロック信号を送るようにする。
【００７５】
また、時間的制約を乗り越えて、安定した転送をするために貯蔵部(７１０、 ７２０)を備える。この時、データ駆動部５２０に含まれる貯蔵部７１０またはデータ駆動部５２０外部に構成される貯蔵部７２０中何れ一つを使うことができる。貯蔵部(７１０、 ７２０)を使うによってデータ転送期間を調節することができる。
また、データ駆動部５２０では、グラウンドレベルが変わったデータ及びクロック信号によって出力される電圧を調節して耐圧特性を進めることができるし、駆動マージンを増大させることもできる。
【図面の簡単な説明】
【００７６】
【図１】従来のプラズマディスプレイ装置を説明するための図。
【図２】従来のプラズマディスプレイ装置のデータ転送方法を説明するための図。
【図３ａ】従来のプラズマディスプレイ装置のデータ駆動部を概略的に示す図。
【図３ｂ】従来のプラズマディスプレイ装置の駆動パルスを示す波形図だ。
【図４】従来のデータ駆動部で生成されるデータパルスを説明するための図。
【図５】本発明の一実施形態によるプラズマディスプレイ装置を説明するための図。
【図６】本発明の一実施形態によるプラズマディスプレイ装置のデータ転送方法を示す図。
【図７ａ】本発明の一実施形態によるプラズマディスプレイ装置のデータ駆動部を概略的に示す図。
【図７ｂ】本発明の一実施形態によるプラズマディスプレイ装置のデータ駆動部を概略的に示す図。
【図８】本発明の一実施形態によるプラズマディスプレイ装置の駆動パルスを示す波形図。
【図９】本発明の一実施形態によるプラズマディスプレイ装置で生成されるデータパルスを説明するための図。
【図１０】本発明の一実施形態の変形された形態による駆動パルスの波形図であり。
【図１１】本発明の一実施形態によるプラズマディスプレイ装置を概略的に示す図である。
【図１】
2005301282.tif 000003
【図２】
2005301282.tif 000004
【図３ａ】
2005301282.tif 000005
【図３ｂ】
2005301282.tif 000006
【図４】
2005301282.tif 000007
【図５】
2005301282.tif 000008
【図６】
2005301282.tif 000009
【図７ａ】
2005301282.tif 000010
【図７ｂ】
2005301282.tif 000011
【図８】
2005301282.tif 000012
【図９】
2005301282.tif 000013
【図１０】
2005301282.tif 000014
【図１１】
2005301282.tif 000015